(57)【要約】【課題】投写面の形状や、観察者およびプロジェクタのポジション取りに制約されることなく、被投写面に対し円滑かつ良好に投写画像を投写し得る投写型表示装置を提供する。【解決手段】第１の回動位置において、液晶パネル１１１は、長軸方向が投写レンズユニット２０の光軸中心と投写ミラーユニット３０により投写される光の中心軸を含む面に平行となるよう、投写レンズユニット２０に対し位置づけられる。この場合、被投写面上には縦長の画像が投写される（ポートレート表示）。この状態から、第２保持筒３００を反時計方向に回動し第２の回動位置に位置づけると、液晶パネル１１１は、短軸方向が投写レンズユニット２０の光軸中心と投写ミラーユニット３０により投写される光の中心軸を含む面に平行となるよう、投写レンズユニット２０に対し位置づけられる。よって、この状態では、被投写面上に横長の画像が投写される（ランドスケープ表示）。【選択図】図５
2008275837.tif 000002
【特許請求の範囲】
【請求項１】
映像信号に応じて変調された光を照射する照明光学系と、
前記照明光学系からの光が入射される投写レンズユニットと、
前記投写レンズユニットからの光を反射する投写ミラーユニットと、
投写方向に長い形状にて画像を被投写面に投写する第１の位置と投写方向に垂直な方向に長い形状にて画像を被投写面に投写する第２の位置との間で前記投写レンズユニットと前記投写ミラーユニットを前記照明光学系に対し相対的に移動させる移動機構と、
を有することを特徴とする投写型表示装置。
【請求項２】
請求項１に記載の投写型表示装置において、
前記移動機構は、前記照明光学系に対し相対的に回動するとともにその回動中心から偏心した位置に前記投写レンズユニットの光軸中心が位置づけられるようにして前記投写レンズユニットを保持する保持体を備える、
ことを特徴とする投写型表示装置。
【請求項３】
請求項２に記載の投写型表示装置において、
前記保持体の回動中心と前記照明光学系内の表示素子の中心位置が光学的に略一致しており、
前記保持体の回動中心と前記投写レンズユニットの光軸中心の間の距離をｒとし、前記表示素子の表示領域の長軸方向の寸法をｂとする場合、ｒ＞ｂ／２を満たすよう前記保持体に対する前記投写レンズユニットの配置位置が設定されている、
ことを特徴とする投写型表示装置。
【請求項４】
請求項２または３に記載の投写型表示装置において、
前記保持体は、前記投写レンズユニットの光軸中心と前記投写ミラーユニットにより投写される光の中心軸を含む光軸面が、前記照明光学系の光学素子載置面に対し略垂直になる第１の回動位置と略平行となる第２の回動位置の間で、前記照明光学系に対し相対的に回動し、
前記保持体が前記第１の回動位置にあるときに前記光軸面によって前記照明光学系を２つの領域に分割したときにこの光軸面に垂直な方向における寸法が小さい方の領域の方向に前記投写レンズユニットからの光が向かうよう、前記第２の回動位置が設定されている、
ことを特徴とする投写型表示装置。
【請求項５】
請求項４に記載の投写型表示装置において、
前記照明光学系内の表示素子が、前記光学素子載置面に対し、短軸方向の面が設置されるようにして載置されている、
ことを特徴とする投写型表示装置。
【請求項６】
請求項１ないし５の何れか一項に記載の投写型表示装置において、
前記投写レンズユニットと前記ミラーユニットの相対位置が前記第１の位置と前記第２の位置の何れにあるかを検出するセンサ、
前記センサによる検出結果に基づいて映像信号の処理モードを切り替える画像処理部とを有する、
ことを特徴とする投写型表示装置。
【請求項７】
請求項１ないし６の何れか一項に記載の投写型表示装置において、
スクリーンに着脱可能なスクリーン保持機構を有する、
ことを特徴とする投写型表示装置。
【発明の詳細な説明】
【技術分野】
【０００１】
本発明は、表示素子上の画像をスクリーン等に投写する投写型表示装置に関し、特に、被投写面に対し投写光を斜め方向から大きな広がり角にて入射させるタイプの投写型表示装置に用いて好適なものである。
【背景技術】
【０００２】
従来の投写型表示装置（以下、「プロジェクタ」という）は、たとえば図１１に示す如く、光学エンジンからの投写光を投写光学系によってスクリーン上に投写する構成となっている。この場合、プロジェクタとスクリーン間の距離を広げることにより、スクリーン上に大画面の画像を表示することができる。しかし、その反面、プロジェクタとスクリーン間の空間に人や物を介在させることができないため、この空間が無駄になるとの問題が生じる。
【０００３】
この問題は、たとえば、プロジェクタの投写距離を短くすることにより解決され得る。しかし、そのためには、投写レンズの径を大きくし、且つ、焦点距離を短くする（投写レンズの曲率を大きくする）必要があるため、投写レンズが巨大化するといった問題が生じる。
【０００４】
これに対し、以下の特許文献１および２には、投写光学系からの投写光を非球面ミラーにて反射させることにより、投写光の広がり角を大きくする方法が記載されている。この方法によれば、図１２に示すように、スクリーン面に対し投写光が斜め方向から入射されるため、障害物等によって投写光が遮られ難くなる。また、投写光の広がり角の拡大（以下、このことを投写光の「広角化」という）が非球面ミラーによって実現されるため、上記のように投写レンズが巨大化することもなく、比較的小さな非球面ミラーにて広角化を実現できる。よって、プロジェクタの大型化とコストの上昇を抑制することができる。
【特許文献１】特開２００４−２５８６２０号公報
【特許文献２】特開２００４−０８５７５２号公報
【発明の開示】
【発明が解決しようとする課題】
【０００５】
上記特許文献２には、上述の斜め投写によるプロジェクタにおいて、縦長画像を表示する構成例（ポートレート表示）と横長画像を表示する構成例（ランドスケープ表示）の２種類の構成例が示されている。図１３は、これらのプロジェクタを机上設置にて用いる場合の使用形態を示す図である。この場合、ランドスケープ表示とポートレート表示の何れが適するかは、机面の形状や、観察者およびプロジェクタのポジション取りによるところとなる。このため、たとえば、観察者のポジション等との関係からプロジェクタの配置位置がその表示方式に合わないと、図１４（ａ）に示す如く、投写画像の一部が机面からはみ出す等の問題が生じる。
【０００６】
この問題は、たとえば、同図（ｂ）に示す如く、回路処理により、はみ出し部分を黒表示（非表示）にして、机面内に投写画像を収める方法をとることにより解消できる。しかし、この場合には、表示素子上の画素の一部しか使われず、このため、投写画像の画質が劣化するとの問題が生じる。
【０００７】
本発明は、このような問題を解消すべくなされたものであり、投写面の形状や、観察者およびプロジェクタのポジション取りに制約されることなく、被投写面に対し円滑かつ良好に投写画像を投写し得る投写型表示装置を提供することを課題とする。
【課題を解決するための手段】
【０００８】
本発明に係る投写型表示装置は、映像信号に応じて変調された光を照射する照明光学系と、前記照明光学系からの光が入射される投写レンズユニットと、前記投写レンズユニットからの光を反射する投写ミラーユニットと、投写方向に長い形状にて画像を被投写面に投写する第１の位置と投写方向に垂直な方向に長い形状にて画像を被投写面に投写する第２の位置との間で前記投写レンズユニットと前記投写ミラーユニットを前記照明光学系に対し相対的に移動させる移動機構とを有することを特徴とする。
【０００９】
本発明によれば、照明光学系に対する投写レンズユニットおよび投写ミラーユニットの相対位置を第１の位置と第２の位置の間で切り替えることにより、被投写面上における投写画像の表示状態を、ポートレート表示とランドスケープ表示の間で切り替えることができる。よって、投写面の形状や、観察者およびプロジェクタのポジション取りに応じて表示状態を切り替えることにより、そのときの視聴環境に適切な状態で画像を表示することができる。
【００１０】
なお、本発明において、移動機構は、照明光学系に対し相対的に回動するとともにその回動中心から偏心した位置に投写レンズユニットの光軸中心が位置づけられるようにして投写レンズユニットを保持する保持体を備える構成とすることができる。ここで、照明光学系が固定される場合には、保持体とともに投写レンズユニットと投写ミラーユニットが回動し、保持体が固定される場合には、投写レンズユニットと投写ミラーユニットが固定され、照明光学系の方が回動する。
【００１１】
この他、本発明は、請求項３ないし７に記載の構成をとることができる。これらの構成による作用効果は、以下に示す実施の形態の説明において、随時、明らかにされる。
【発明の効果】
【００１２】
以上のように本発明によれば、投写面の形状や、観察者およびプロジェクタのポジション取りに制約されることなく、被投写面に対し円滑かつ良好に投写画像を投写し得る投写型表示装置を提供することができる。
【００１３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１４】
以下、本発明の実施の形態につき図面を参照して説明する。
【００１５】
まず、図１に実施の形態に係るプロジェクタの構成を示す。
【００１６】
図において、１０は照明光学系（光学エンジン）、２０は投写レンズユニット、３０は投写ミラーユニット、４０は投写レンズユニット２０と投写ミラーユニット３０をプロジェクタ本体に対しＸ−Ｚ平面方向に回動可能に保持する保持機構である。
【００１７】
照明光学系１０は、光源１０１からダイクロイックプリズム１１８までの光学素子から構成されている。
【００１８】
光源１０１は、ランプとリフレクタから構成され、略平行な光をフライアイインテグレータ１０２に出射する。フライアイインテグレータ１０２は、蝿の目状のレンズ群からなる第１および第２のインテグレータを備え、液晶パネル１０８、１１１、１１７に入射する際の光量分布が均一となるよう、光源１０１から入射される光に対しレンズ作用を付与する。すなわち、蝿の目状に配置されたレンズ群の各レンズを透過した光は、それぞれ、液晶パネル１０８、１１１および１１７に、これら液晶パネルのアスペクト比の広がりをもって入射する。
【００１９】
ＰＢＳ（偏光ビームスプリッタ）アレイ１０３は、複数のＰＢＳと１／２波長板がアレイ状に配列されたものであり、フライアイインテグレータ１０２から入射された光の偏光方向を一方向に揃える。コンデンサレンズ１０４は、ＰＢＳアレイ１０３から入射された光に集光作用を付与する。
【００２０】
ダイクロイックミラー１０５は、コンデンサレンズ１０４から入射された光のうち、たとえば、青色波長帯の光（以下、「Ｂ光」という）のみを反射し、赤色波長帯（以下、「Ｒ光」という）と緑色波長帯（以下、「Ｇ光」という）を透過する。ミラー１０６は、ダイクロイックミラー１０５によって反射されたＢ光を反射してコンデンサレンズ１０７に入射させる。コンデンサレンズ１０７は、Ｂ光が略平行光で液晶パネル１０８に入射するよう、Ｂ光にレンズ作用を付与する。液晶パネル１０８は、青色用の映像信号に応じて駆動され、その駆動状態に応じてＢ光を変調する。なお、コンデンサレンズ１０７を透過したＢ光は、偏光板（図示せず）を介して液晶パネル１０８に入射される。
【００２１】
ダイクロイックミラー１０９は、ダイクロイックミラー１０５を透過したＲ光およびＧ光のうち、たとえば、Ｇ光のみを反射する。コンデンサレンズ１１０は、Ｇ光が略平行光で液晶パネル１１１に入射するよう、Ｇ光にレンズ作用を付与する。液晶パネル１１１は、緑色用の映像信号に応じて駆動され、その駆動状態に応じてＧ光を変調する。なお、コンデンサレンズ１１０を透過したＧ光は、偏光板（図示せず）を介して液晶パネル１１１に入射される。
【００２２】
リレーレンズ１１２、１１４は、液晶パネル１１７に対するＲ光の入射状態が液晶パネル１０８および１１１に対するＢ光およびＧ光の入射状態と等しくなるようＲ光にレンズ作用を付与する。ミラー１１３、１１５は、ダイクロイックミラー１０９を透過したＲ光を液晶パネル１１７に導くよう、Ｒ光の光路を変更する。コンデンサレンズ１１６は、Ｒ光が略平行光の状態で液晶パネル１１７に入射するよう、Ｒ光にレンズ作用を付与する。液晶パネル１１７は、赤色用の映像信号に応じて駆動され、その駆動状態に応じてＲ光を変調する。なお、コンデンサレンズ１１６を透過したＲ光は、偏光板（図示せず）を介して液晶パネル１１７に入射される。
【００２３】
ダイクロイックプリズム１１８は、液晶パネル１０８、１１１、１１７によって変調されたＢ光、Ｇ光およびＲ光を合成し、投写レンズユニット２０へ入射させる。投写レンズユニット２０は、投写光を被投写面上に結像させるためのレンズ群を備えている。投写ミラーユニット３０は、投写レンズユニット２０から入射される投写光を広角化して被投写面へと投写する。
【００２４】
次に、図２および図３を参照して、保持機構４０の構成を説明する。
【００２５】
まず、図２（ａ）（ｂ）を参照して、第１保持筒２００の構成を説明する。なお、同図（ａ）（ｂ）は、それぞれ、第１保持筒２００の上面図および正面図である。第１保持筒２００は、中央に円形の開口部２０１を有する無底円筒形状となっている。第１保持筒２００の上面には壁部２０２が形成されており、壁部２０２の一部に円弧状の切欠き２０３が形成されている。さらに、切欠き２０３の壁部２０２の境界位置にある２つの側面には、それぞれ、導電板が接触することにより電通する接触式のスイッチ２０４ａ、２０４ｂが取り付けられている。第１保持筒２００は、プロジェクタ本体側のキャビネットに固定される。
【００２６】
次に、図２（ｃ）（ｄ）を参照して、第２保持筒３００の構成を説明する。なお、同図（ｃ）（ｄ）は、それぞれ、第２保持筒３００の上面図および正面図である。第２保持筒３００は、同心円形状の２つの筒部３０１、３０２を有している。筒部３０１の径は、第１保持筒２００の開口部２０１の径よりも少しだけ小さくなっている。また、筒部３０１の下面から筒部３０２の上面に連通するようにして円形の開口部３０３が形成されている。ここで、開口部３０３の中心は、筒部３０１、３０２の中心に対して一定距離だけ偏心している。開口部３０３には、投写レンズユニット２０が装着される。
【００２７】
筒部３０２の側面には、方形状の突出部３０４が形成されている。この突出部３０４には、２つの孔３０５が形成されており、さらに、突出部３０４の側面には、第１保持筒２００側のスイッチ２０４ａ、２０４ｂに接触する導電板３０６ａ、３０６ｂが装着されている。
【００２８】
図３は、保持機構４０の組み立て過程を示す図である。
【００２９】
組み立て時には、同図（ｂ）に示す如く、第２保持筒３００の開口部３０３に投写レンズユニット２００が装着される。この状態で、第２保持筒３００の筒部３０１が、同図（ａ）に示す第１保持筒２００の開口部２０１に挿入され、同図（ｄ）に示す如く、第２保持筒３００が第１保持筒２００に回動可能に支持される。このとき、抜け留め（図示せず）等によって、第１保持筒２００に対する第２保持筒３００の脱落が規制される。
【００３０】
しかる後、投写ミラーユニット３０が第２保持筒３００の突出部３０４に装着される。図４は、投写ミラーユニット３０の構成を示す図である。同図（ａ）（ｂ）は、それぞれ、投写ミラーユニット３０の上面図および左側面図である。図示の如く、投写ミラーユニット３０は、非球面形状または自由曲面形状のミラー部３０ａを有するとともに、下面および正面が開放された凹部３０ｃと、凹部３０ｃの上面から下方向に向かって突出する２つの突部３０ｄが形成された取り付け部３０ｂを備えており、筐体の正面には、ミラー部３０ａによって反射された光を投写面に向かって進行させるための投写窓３０ｅが形成されている。ここで、凹部３０ｃと突部３０ｄは、それぞれ、第２保持筒３００の突出部３０４と孔３０５に係合する形状となっている。
【００３１】
図３に戻り、第２保持筒３００に対する投写ミラーユニット３０の装着は、同図（ｃ）（ｄ）に示す如く、凹部３０ｃと突部３０ｄを、それぞれ、第２保持筒３００の突出部３０４と孔３０５に係合させ、さらに、ネジ等の取り付け具（図示せず）によって取り付け部３０ｂを第２保持筒３００の突出部３０４に固着することにより行われる。これにより、投写レンズユニット２０の他、投写ミラーユニット３０が第２保持筒３００に装着され、第２保持筒３００の回動に伴って、投写レンズユニット２０と投写ミラーユニット３０が一体的に回動するようになる。
【００３２】
なお、第２保持筒３００の回動角度は９０度に設定されている。第１保持筒２００の切欠き２０３は、第２保持筒３００の回動角度が９０度になるよう、円周方向の長さが設定されている。
【００３３】
図５は、投写モードの切り替え動作を説明する図である。なお、同図には、投写レンズユニット２０を正面から見たときに透視される液晶パネル１１１の表示領域が点線によって示されている。
【００３４】
投写モードの切り替えは、同図（ａ）および（ｂ）の状態に第２保持筒３００を回動させることにより行われる。ここで、第２保持筒３００の回動は、手動によって行う他、別途、モータ等の駆動源を配し、リモコン等からの指示により電動で行うようにすることもできる。また、第２保持枠３００は、適宜、ロック手段（図示せず）によって、同図（ａ）および（ｂ）の何れかの状態にロックされる。
【００３５】
同図（ａ）の状態において、液晶パネル１１１は、その長軸方向が、投写レンズユニット２０の光軸中心と投写ミラーユニット３０により投写される光の中心軸を含む面に平行となるよう、投写レンズユニット２０に対し位置づけられる。同図には、便宜上、液晶パネル１１１のみを透視して示したが、他の液晶パネル１０８、１１７と投写レンズユニット２０の間の光学的な位置関係もこれと同じである。この点は、以下の説明においても同様である。したがって、同図（ａ）の状態では、被投写面上に縦長の画像が投写される（ポートレート表示）。
【００３６】
この状態から、第２保持筒３００が同図（ａ）の矢印方向に回動され、同図（ｂ）の位置に位置づけられると、液晶パネル１１１は、その短軸方向が、投写レンズユニット２０の光軸中心と投写ミラーユニット３０により投写される光の中心軸を含む面に平行となるよう、投写レンズユニット２０に対し位置づけられる。したがって、この状態では、被投写面上に横長の画像が投写される（ランドスケープ表示）。
【００３７】
このように、第２保持筒３００を同図（ａ）の位置から同図（ｂ）の位置に回動させることにより、被投写面上における表示をポートレート表示からランドスケープ表示に切り替えることができ、同様に、第２保持筒３００を同図（ｂ）の位置から同図（ａ）の位置に回動させることにより、被投写面上における表示をランドスケープ表示からポートレート表示に切り替えることができる。
【００３８】
なお、表示切り替えの際には、スイッチ２０４ａ、２０４ｂの何れか一方に導電板３０６ａ、３０６ｂが接触する。回路系では、何れのスイッチがＯＮ状態にあるかによって表示モード（ポートレート／ランドスケープ）が判別され、この判別結果に応じて、各モードに適した画像処理等が実行される。
【００３９】
図６は、第２保持筒３００の回動中心に対する投写レンズユニット２０の光軸中心の偏心量を説明する図である。なお、本実施の形態では、第２保持筒３００の回動中心は、液晶パネル１１１の略中心位置に位置づけられている。
【００４０】
図示の如く、第２保持筒３００の回動中心と投写レンズユニット２０の光軸中心の間の偏心量をｒ、液晶パネル１１１の表示領域の長軸方向の寸法をｂ、短軸方向の寸法をａとすると、同図（ａ）を参照して分かるとおり、偏心量がｒ＞ｂ／２を満たす場合に、液晶パネル１１１の表示領域が投写レンズユニット２０の光軸中心に掛からなくなる。ここで、表示領域の縦横比はｂ＞ａの関係にあるため、偏心量をｒ＞ｂ／２に設定すると、同図（ｂ）に示す如く、第２保持筒３００をランドスケープ表示の位置に回動させても、液晶パネル１１１の表示領域が投写レンズユニット２０の光軸中心に掛かることはない。
【００４１】
つまり、ｒ＞ｂ／２となるよう偏心量を設定することにより、第２保持筒３００をポートレート表示の位置とランドスケープ表示の位置の何れに回動させても、液晶パネル１１１の表示領域が投写レンズユニット２０の光軸中心に掛かることはない。したがって、偏心量をこのように設定することにより、ポートレート表示とランドスケープ表示の何れにおいても、良好な拡大投写を実現することができる。
【００４２】
なお、偏心量をｒ＞ａ／２と設定する場合には、ポートレート表示において拡大投写に不具合が生じる惧れがある。たとえば、偏心量をｂ／２≧ｒ＞ａ／２の範囲に設定すると、ランドスケープ表示においては液晶パネル１１１の表示領域が投写レンズユニット２０の光軸中心に掛からず良好な拡大投写を実現できるが、ポートレート表示においては液晶パネル１１１の表示領域が投写レンズユニット２０の光軸中心に掛かってしまい、このため、ポートレート表示において拡大投写に不具合が生じる惧れがある。
【００４３】
次に、図７を参照して、第２保持筒３００の回動方向について説明する。
【００４４】
同図（ａ）の状態をランドスケープ表示およびポートレート表示の何れか一方の状態であるとすると、この状態では、照明光学系１０の設置面が、投写レンズユニット２０の光軸中心と投写ミラーユニット３０により投写される光の中心軸を含む面に垂直となっているため、投写ミラーユニット３０からの投写光が照明光学系１０によって遮られる惧れはない。
【００４５】
この状態から、他方の表示モードに切り替えるべく投写レンズユニット２０と投写ミラーユニット３０を９０度回動させる場合、回動方向を、同図（ａ）の左方向に設定すると、この方向においては照明光学系１０の長さＬ２が大きいため、投写ミラーユニット３０からの投写光が照明光学系１０によって遮られる惧れがある。これに対し、投写レンズユニット２０と投写ミラーユニット３０の回動方向を同図（ｂ）にように設定すると、この方向における照明光学系１０の長さＬ１はＬ２に比べかなり小さいため、投写ミラーユニット３０からの投写光が照明光学系１０によって遮られることはなく、投写光の広角化が円滑に実現され得る。
【００４６】
よって、投写レンズユニット２０と投写ミラーユニット３０の回動方向は、同図（ｂ）にように設定するのが望ましく、これにより、ランドスケープ表示およびポートレート表示の何れにおいても円滑に、投写光の広角化を図ることができる。
【００４７】
なお、この場合にも、投写光の広角化の観点からは、長さＬ１を極力小さくするのが望ましい。ここで、長さＬ１の縮小化は、照明光学系１０の載置面に対する液晶パネル１０８、１１１、１１７の設置方法を調整することにより達成できる。つまり、照明光学系１０の載置面に対しその短軸側の面が設置されるようにして、液晶パネル１０８、１１１、１１７を載置面に装着することにより、長さＬ１を縮めることができる。
【００４８】
図１を参照して分かるとおり、液晶パネル１０８、１１１、１１７の短軸側の面を照明光学系１０の載置面に設置すると、長軸側の面を照明光学系１０の載置面に設置する場合に比べ、Ｘ−Ｙ平面方向におけるダイクロイックプリズム１１８の寸法を小さくでき、また、他の光学素子のＸ−Ｙ平面方向における幅も小さくすることができる。その結果、照明光学系１０のＸ−Ｙ平面方向における寸法を縮小でき、よって、同図中の長さＬ１を縮小することができる。
【００４９】
図８は、本実施の形態に係る映像処理回路の構成を示す図である。
【００５０】
図において、モード判別部５１は、スイッチ２０４ａ、２０４ｂのＯＮ／ＯＦＦ状態に基づいて、投写レンズユニット２０と投写ミラーユニット３０がランドスケープ表示位置とポートレート表示位置の何れにあるかを判別し、判別結果を画像処理部５２に出力する。画像処理部５２は、モード判別部５１から入力される判別結果に基づいて、入力映像信号を処理し、Ｂ光用、Ｇ光用およびＲ光用の駆動信号を、それぞれ液晶パネル１０８、１１１、１１７に供給する。ここで、画像処理部５２は、表示モードがランドスケープ表示とポートレート表示の何れにあるかに応じて、ムラや台形歪の補正処理等を切り替え、入力映像信号に対し、そのモードに適する処理を実行する。これにより、ランドスケープ表示とポートレート表示の何れにおいても良好な画像が被投写面上に表示される。
【００５１】
以上、本実施の形態によれば、投写面の形状や、観察者およびプロジェクタのポジション取り等に制約されることなく、ランドスケープ表示とポートレート表示を適宜切り替えることにより、被投写面に対し円滑かつ良好に投写画像を投写することができる。
【００５２】
ところで、上記実施の形態では、投写レンズユニット２０と投写ミラーユニット３０を回動させることによりランドスケープ表示とポートレート表示を切り替えるようにしたが、投写レンズユニット２０と投写ミラーユニット３０を固定とし、照明光学系１０の方を回動させることにより、ランドスケープ表示とポートレート表示を切り替えるようにすることもできる。
【００５３】
図９は、この場合の構成例を示す図である。保持機構４０の構成は、上記実施の形態と同様である。ただし、図９の構成例では、第２保持筒３００の方が固定されており、第１保持筒２００が第２保持筒３００に対し回動するよう構成されている。ここで、照明光学系１０は、第１保持筒２００に一体化されている。
【００５４】
同図（ａ）は、ポートレート表示時における投写レンズユニット２０と液晶パネル１１１の位置関係を示す図である。この状態から、第１保持筒２００を同図の矢印方向に９０度回動させると、これに伴って、照明光学系１０が回動し、同図（ｂ）に示す如く、液晶パネル１１１がランドスケープ表示時の位置に位置づけられる。
【００５５】
図１０は、この構成例にかかるプロジェクタの使用形態を説明する図である。図示の如く、この使用形態では、スクリーン４００を着脱可能なスクリーン保持機構５０１にプロジェクタが装着されている。
【００５６】
同図（ｂ）は、同図（ａ）のプロジェクタの部分を矢印Ａ方向に見たときのものである。なお、同図（ｂ）では、便宜上、突出部３０４と投写ミラーユニット３０が図示省略されている。
【００５７】
図示の如く、スクリーン保持機構５０１には、コ字状の取り付け部５０２が配されており、この取り付け部５０２の端部５０３が、第２保持筒３００の側面に固着されている。照明光学系１０は、本体キャビネット６００内に収容されており、また、本体キャビネット６００には、第１保持筒２００が固着されている。さらに、本体キャビネット６００には、第１保持筒２００の装着位置とは反対側の側面に軸受け（図示せず）が配されており、この軸受けに、スクリーン保持機構５０１に配された支軸５０４が装着されている。これにより、本体キャビネット６００は、第１保持筒２００と一体的に、軸Ｐの周りに回動可能となっている。
【００５８】
同図（ｃ）は、同図（ａ）のプロジェクタの部分を矢印Ｂ方向に見たときのものである。なお、同図（ｃ）では、便宜上、突出部３０４が図示省略されている。この状態から、本体キャビネット６００を同図の矢印Ｒ方向に９０度回転させると、これに伴って、照明光学系１０が回動し、同図（ｄ）に示す位置に位置づけられる。これにより、投写レンズユニット２０に対する液晶パネル１０８、１１１、１１７の位置関係が、図９に示す如く、光学的に９０度回転され、ポートレート表示およびランドスケープ表示間で表示モードが切り替えられる。たとえば、同図（ｃ）の状態がポートレート表示時の状態であれば、同図（ｄ）の状態はランドスケープ表示時の状態となる。
【００５９】
以上、本発明の実施形態について説明したが、本発明は、上記実施の形態によって制限されるものではない。また、本発明の実施形態は上記の他、種々の変更が可能である。
【００６０】
たとえば、上記実施の形態では、Ｂ光、Ｇ光、Ｒ光を液晶パネル１０８、１１１、１１７に入射させて変調させ、変調後の光をダイクロイックプリズム１１８で合成するようにしたが、これら波長帯以外の光をさらに対応する液晶パネルにて変調させ、変調後の光をＢ光、Ｇ光、Ｒ光とともに合成して投写レンズユニット２０に入射させるようにしても良い。たとえば、光源１１内のランプにて発光される光にＢ光、Ｇ光、Ｒ光の他に黄色波長帯（以下、「Ｙ光」という）のスペクトル成分がある場合には、Ｙ光をダイクロイックミラーで分離するとともにリレーレンズでリレーして対応する液晶パネルへと導き、当該液晶パネルにて変調されたＹ光を、Ｂ光、Ｇ光、Ｒ光とともにダイクロイックプリズムで合成するようにしても良い。
【００６１】
また、上記実施の形態では、光源としてランプを用いたが、本発明は、レーザ光源を用いたプロジェクタや、ランプとレーザ光源を組み合わせたハイブリッドタイプのプロジェクタにも適用可能である。
【００６２】
さらに、上記実施の形態では、投写レンズユニット２０からの光を一つのミラー部３０ａによって被投写面方向に反射するようにしたが、投写レンズユニット２０からの光をミラーにて反射した後、ミラー部３０ａに導く等、投写ミラーユニット３０に複数のミラーを配するようにしても良い。
【００６３】
この他、照明光学系１０の構成も適宜変更可能であり、さらに、表示素子として反射型パネルを用いたプロジェクタにも本発明を適用可能である。また、本発明は、表示素子としてＤＭＤ（Digital Micro-mirror Device）を用いたプロジェクタにも適用可能である。
【００６４】
本発明の実施の形態は、特許請求の範囲に示された技術的思想の範囲内において、適宜、種々の変更が可能である。
【図面の簡単な説明】
【００６５】
【図１】実施の形態に係るプロジェクタの構成を示す図
【図２】実施の形態に係る保持機構の構成を示す図
【図３】実施の形態に係る保持機構の組み立て過程を説明する図
【図４】実施の形態に係る投写ミラーユニットの構成を示す図
【図５】実施の形態に係る投写モードの切り替え動作を説明する図
【図６】実施の形態に係る投写レンズユニットの偏心量を説明する図
【図７】実施の形態に係る投写レンズユニットの回動方向を説明する
【図８】実施の形態に係る映像処理回路の構成を示す図
【図９】他の実施の形態に係る保持機構の構成を説明する図
【図１０】他の実施の形態に係るプロジェクタの使用形態を説明する図
【図１１】背景技術を説明する図
【図１２】広角に投写光を投写するタイプのプロジェクタの使用形態を示す図
【図１３】本発明の課題を説明する図
【図１４】本発明の課題を説明する図
【符号の説明】
【００６６】
１０  …  照明光学系
２０  …  投写レンズユニット
３０  …  投写ミラーユニット
４０  …  保持機構（移動機構）
５１  …  モード判別部
５２  …  画像処理部
１０８、１１１、１１７  …  液晶パネル
２００  …  第１保持筒
２０４ａ、２０４ｂ  …  スイッチ
３００  …  第２保持筒
３０６ａ、３０６ｂ  …  導電板
５０１  …  スクリーン保持機構
５０２  …  取り付け部
５０３  …  端部
５０４  …  支軸
６００  …  本体キャビネット
【図１】
2008275837.tif 000003
【図２】
2008275837.tif 000004
【図３】
2008275837.tif 000005
【図４】
2008275837.tif 000006
【図５】
2008275837.tif 000007
【図６】
2008275837.tif 000008
【図７】
2008275837.tif 000009
【図８】
2008275837.tif 000010
【図９】
2008275837.tif 000011
【図１０】
2008275837.tif 000012
【図１１】
2008275837.tif 000013
【図１２】
2008275837.tif 000014
【図１３】
2008275837.tif 000015
【図１４】
2008275837.tif 000016